(57)【要約】【課題】インテリア性が向上できる空気調和装置を提供することを目的とする。【解決手段】吸気口６と吹出口７とを有する本体ケース１と、水を貯水する貯水容器１６と、貯水容器１６内の水を含水する気液接触部分１８と、気液接触部分１８に空気を送風する送風機２と、貯水容器１６に水を供給する給水部１７と、給水部１７と水道管３１とを連通する配管部３２とを備えている。貯水容器１６と、気液接触部分１８と、送風機２と、給水部１７と、風路１０とは、本体ケース１内に配置されている。配管部３２は、本体ケース１の背面から突出した配管ケース３３内に配置されている。配管部３２の一方端側には水道管３１と接続できる水道側接続部３４を有し、水道側接続部３４は、配管ケース３３の天面３３ａに配置されることを特徴とする空気調和装置。【選択図】図６
2020159660.tif 000002
【特許請求の範囲】
【請求項１】
吸気口と吹出口とを有する本体ケースと、
水を貯水する貯水容器と、
前記貯水容器内の水を含水する気液接触部分と、
前記気液接触部分に空気を送風する送風機と、
前記貯水容器に水を供給する給水部と、
前記給水部と水道管とを連通する配管部と、
前記送風機によって、前記吸気口から吸い込んだ空気を、前記気液接触部分を介して前記吹出口へ送風する風路と、を備え、
前記配管部は、前記本体ケースの背面から突出した配管ケース内に配置され、
前記配管部の一方端側には前記水道管と接続できる水道側接続部を有し、
前記水道側接続部は、前記配管ケースの天面に配置されることを特徴とする空気調和装置。
【請求項２】
前記配管ケースの天面の高さは、前記本体ケースの天面の高さより低いことを特徴とする請求項１に記載の空気調和装置。
【請求項３】
前記水道側接続部は、前記配管ケースの天面における前記本体ケースの左右方向の一方側寄りに配置されることを特徴とする請求項１または２に記載の空気調和装置。
【請求項４】
前記配管部は、開閉弁を有し、
前記開閉弁は、前記配管ケース内における前記本体ケースの左右方向の一方側寄りに配置され、
前記配管ケースにおける前記本体ケースの左右方向の一方側側面に点検口を設けることを特徴とする請求項３に記載の空気調和装置。
【発明の詳細な説明】
【技術分野】
【０００１】
本発明は、水道管と接続されて使用する空気調和装置に関する。
【背景技術】
【０００２】
従来のこの種の空気調和装置の構成は、以下のようになっていた。
【０００３】
すなわち、吸込口と吹出口とを有する本体ケースと、本体ケース内に設けた空気調和手段と、送風手段とから構成している。送風手段によって、吸込口から吸い込まれた空気は、空気調和手段を介して本体の天面の吹出口から吹き出された。水道管と接続できる水道側接続部が、本体ケースの背面に設けられていた。
【先行技術文献】
【特許文献】
【０００４】
【特許文献１】特開平５−１１５８１８号公報
【発明の概要】
【発明が解決しようとする課題】
【０００５】
このような従来例の空気調和装置は、水道管と接続できる水道側接続部が、本体ケースの背面に設けられていたので、空気調和装置に室内の壁面に接するように設置することが困難であった。これにより、空気調和装置と室内の壁面との間に隙間ができ、インテリア性が悪いという課題があった。
【課題を解決するための手段】
【０００６】
そして、この目的を達成するために本発明は、吸気口と吹出口とを有する本体ケースと、水を貯水する貯水容器と、前記貯水容器内の水を含水する気液接触部分と、前記気液接触部分に空気を送風する送風機と、前記貯水容器に水を供給する給水部と、前記給水部と水道管とを連通する配管部と、前記送風機によって、前記吸込口から吸い込んだ空気を、前記気液接触部分を介して前記吹出口へ送風する風路と、を備え、前記配管部は、前記本体ケースの背面から突出した配管ケース内に配置され、前記配管部の一方端側には前記水道管と接続できる水道側接続部を有し、前記水道側接続部は、前記配管ケースの天面に配置されることを特徴としたものであり、これらの手段により、初期の目的を達成するものである。
【発明の効果】
【０００７】
以上のように本発明は、室内の壁面に接するように設置でき、インテリア性が向上できる空気調和装置を得ることができる。
【図面の簡単な説明】
【０００８】
【図１】本発明の実施の形態１の空気調和装置の斜視図
【図２】同空気調和装置の斜視図
【図３】同空気調和装置の断面図
【図４】同空気調和装置の貯水容器の斜視図
【図５】同空気調和装置のフィルターとフィルター枠の斜視図
【図６】同空気調和装置の貯水容器とフィルターとフィルター枠を示す図
【図７】同空気調和装置の斜視図
【図８】同空気調和装置の側面図
【発明を実施するための形態】
【０００９】
（実施の形態１）
図１、図２、図３は、本発明の実施の形態１の空気調和装置の斜視図である。なお、図１は、空気調和装置を前面側から見た図である。図２は、パネルを開いた空気調和装置を前面側から見た図である。図３は、空気調和装置を右側から見た断面図である。
【００１０】
以下、空気調和装置の詳細な構成について説明する。図１から図３に示すように、本実施の形態の空気調和装置は、本体ケース１と、送風機２と、空気浄化部３と、制御部４と、操作部５と、配管ケース３３と、配管部３２とを備える。
【００１１】
本体ケース１は、略箱形状であり、本体ケース１には、吸気口６と、吹出口７と、パネル８とが設けられている。
【００１２】
吸気口６は、本体ケース１の両側面に設けられている。吹出口７は、開閉式であって、本体ケース１の天面における背面側に設けられている。なお、図１、図２では、吹出口７は閉じた状態である。本体ケース１の天面における前面側には、操作部５が設けられている。
【００１３】
本体ケース１の右側面には、開閉可能なパネル８が設けられている。パネル８における本体ケース１の前面側には、吸気口６の一つを備えている。
【００１４】
パネル８を開くと、本体ケース１内には、空洞部９が設けられている。空洞部９は、本体ケース１における右側面の縦長四角形状の開口９ａから、本体ケース１における左側へ水平方向に延びた穴である。空洞部９内には、空気浄化部３が設けられている。空気浄化部３は、空洞部９内から本体ケース１外へ取り出すことが出来る。
【００１５】
本体ケース１内には、図３に示すように、吸気口６と吹出口７とを連通する風路１０が設けられている。この風路１０には、吸気口６から順に、空気浄化部３（貯水容器、フィルター部分）、送風機２、吹出口７が設けられている。
【００１６】
送風機２は、本体ケースの中央部に設けられ、モータ部１１と、モータ部１１により回転するファン部１２と、それらを囲むスクロール形状のケーシング部１３とを備えている。
【００１７】
モータ部１１は、ケーシング部１３に固定されている。
【００１８】
ファン部１２は、シロッコファンで、モータ部１１から水平方向に延びた回転軸（図示せず）に固定されている。モータ部１１の回転軸は、本体ケース１の背面側から前面側に延びている。
【００１９】
ケーシング部１３には、吐出口１４と吸込口１５とが設けられている。吐出口１４は、ケーシング部１３の本体ケース１における上面側に設けられている。また、吸込口１５は、ケーシング部１３の本体ケース１における背面側に設けられている。モータ部１１によって、ファン部１２が回転すると、ケーシング部１３の吸込口１５からケーシング部１３内に空気が吸い込まれ、この吸い込まれた空気は、吐出口１４からケーシング部１３外へ送風される。
【００２０】
空気浄化部３は、貯水容器１６と、給水部１７と、気液接触部分１８と、電解ユニット１９とを備えている。
【００２１】
貯水容器１６は、天面に開口が設けられた略箱形状をしており、水を貯水できる構造となっている。貯水容器１６は、本体ケース１の下部に配置されており、空洞部９から水平方向にスライドして着脱可能となっている。貯水容器１６は、給水部１７から供給される水を貯水する。
【００２２】
給水部１７は、管形状であり、水道管と連通している。給水部１７の一方端側は、水道管に連結され、水道管から水道管内の水が、給水部１７の一方側から給水部１７内に流れ込む。給水部１７内に流れ込んだ水は、給水部１７の他方端側から貯水容器１６に滴下する。
【００２３】
図４は、本発明の実施の形態１の貯水容器の斜視図である。図５は、本発明の実施の形態１のフィルターとフィルター枠の斜視図である。
【００２４】
図４、図５に示すように、気液接触部分１８は、貯水容器１６に貯水された水と、送風機２によって本体ケース１内に吸込まれた室内空気とを接触させる部材である。気液接触部分１８は、フィルター２０と、フィルター枠２１と、駆動部（図示せず）とを有している。
【００２５】
フィルター２０は、円筒状に構成され、円周部分に空気が流通可能な孔が設けられた構成である。フィルター２０は、フィルター２０の一端が貯水容器１６の水に浸漬するように、フィルター枠２１に装着されている。
【００２６】
フィルター枠２１は、貯水容器１６に設けられた軸受け部２３に回転支持されている。フィルター２０とフィルター枠２１とは、駆動部によって回転する構造となっている。
【００２７】
図６は、本発明の実施の形態１の貯水容器とフィルターとフィルター枠と電解ユニットとを示す図である。フィルター枠２１は、貯水容器１６に装着されている。
【００２８】
電解ユニット１９は、本体ケース１に上下方向に移動可能に設けられている。図６は、電解ユニット１９は、下方に移動された状態である。この状態で、電解ユニット１９の下部が、貯水容器１６内の水に浸漬する。電解ユニットは、第１の電極（図示せず）と、第２の電極（図示せず）とを有する。貯水容器１６を、本体ケース１の下部の空洞部９に装着し、電解ユニット１９を下方に移動させると、第１の電極と第２の電極とを貯水容器１６内に浸らせた状態となる（図３参照）。第１の電極と第２の電極とを貯水容器１６内に浸らせた状態で第１の電極と第２の電極に電圧を印加すると、使用者によって投入された電解促進溶剤（図示せず）が入った貯水容器１６内の水を電気化学的に処理するものである。なお、電解促進溶剤の一例は、塩化ナトリウムであり、電解ユニット１９によって、塩化ナトリウム水溶液から次亜塩素酸が発生する。また、電解ユニット１９は、本体ケース１から着脱可能な構成である。
【００２９】
図４、図５、図６に示すように、貯水容器１６は、第１の貯水区画２４と、第２の貯水区画２５と、仕切り板２６と、連通孔２７とを有している。
【００３０】
第１の貯水区画２４は、電解ユニット１９と、給水部１７の先端部とが配置された区画である。図４では、右側の区画である。第１の貯水区画内には、給水部１７から水が供給される。
【００３１】
第２の貯水区画２５は、気液接触部分１８の一部であるフィルター２０とフィルター枠２１とが配置された区画である。図４では、左側の区画である。
【００３２】
仕切り板２６は、第１の貯水区画２４と第２の貯水区画２５とを仕切る板である。仕切り板２６は、貯水容器１６の底面から上方に延び、仕切り板２６の上端は、水面より上方に配置されている。
【００３３】
連通孔２７は、横長の開口であり、仕切り板２６の下端に配置されている。連通孔２７は、第１の貯水区画２４と第２の貯水区画２５とを連通する。第１の貯水区画２４の水は、連通孔２７を介して、第２の貯水区画２５へ流れ込む。なお、第１の貯水区画２４の底面と、第２の貯水区画２５の底面とは、同一面上に配置されている。
【００３４】
フィルター２０は、円筒状に構成され、円周部分に空気が流通可能な孔が設けられている。フィルター２０は、フィルター２０の一端が貯水容器１６の水に浸漬するように、フィルター２０の水平方向に延びた中心軸を回転中心として貯水容器１６内に、フィルター枠２１によって回転自在に内蔵されている。
【００３５】
フィルター枠２１は、貯水容器１６の軸受け部２３に回転支持される構造となっている。フィルター枠２１は、フィルター２０の内面と接する内枠（図示せず）と、第１の軸カバー２９と、第２の軸カバー３０とを備えている。
【００３６】
第１の軸カバー２９は、内枠の中心軸方向における一方側に固定される円形状の板である第１のカバー２９ａと、第１のカバー２９ａの中心から外方に突出した円柱形状の突起である第１の軸２９ｂとを備えている。第１の軸２９ｂは、貯水容器１６における一方側の軸受け部２３に回転自在に装着できる構造となっている。第１のカバー２９ａと第１の軸２９ｂとは、一体の構造である。
【００３７】
第２の軸カバー３０は、内枠の中心軸方向における他方側に着脱自在な円形状の板である第２のカバー３０ａと、第２のカバー３０ａの中心から外方に突出した円柱形状の突起である第２の軸３０ｂとを備えている。第２の軸３０ｂは、貯水容器１６における他方側の軸受け部２３に回転自在に装着できる構造となっている。内枠と第２のカバー３０ａと第２の軸３０ｂとは、一体の構造である。第２の軸３０ｂの先端部分に外周面には、多数の突起である、多数の歯３０ｃを備えている。第２の軸３０ｂの多数の歯３０ｃは、駆動部（図示せず）の歯車と接触し、駆動部の歯車の回転によって、第２の軸３０ｂを介して、フィルター枠２１が回転する構造である。
【００３８】
駆動部は、歯車（図示せず）を備え、歯車の回転によってフィルター枠２１を回転させ、フィルター枠２１の回転によってフィルター２０が回転する。フィルター２０の一端が貯水容器１６の水に浸漬するように配置されているので、水と室内空気を連続的に接触させる構造となっている。
【００３９】
図７は、本発明の実施の形態１の本体ケースと配管ケースを、空気調和装置の背面側から見た図であり、点検口から蓋を外した状態である。図８は、本発明の実施の形態１の本体ケースと配管ケースの側面図であり、点検口から蓋を外した状態である。
【００４０】
図２、図３、図７、図８に示すように、空気調和装置は、貯水容器１６に水を供給する給水部１７と、給水部１７と水道管３１とを連通する配管部３２とを備えている。配管部３２は、本体ケース１の背面から突出した配管ケース３３内に配置されている。本体ケース１内には、貯水容器１６と、気液接触部分１８と、送風機２と、給水部１７と、風路１０とを有している。本実施形態における特徴は、配管部３２の一方端側には、水道管３１と接続できる水道側接続部３４を有し、水道側接続部３４は、配管ケース３３の天面に配置されている点である。
【００４１】
水道管３１と配管部３２とを継ぐ場合に、室内の壁から室内に延びている水道管３１を曲げながら水道側接続部３４に接続する。この水道側接続部３４が配管ケース３３の天面に配置されているので、水道側接続部３４と水道管３１とが邪魔にならず、配管ケース３３の背面を室内の壁に接するように配置でき、インテリア性が向上する。なお、水道管３１は、作業者が手で曲げることができるフレキシブルな水道管である。
【００４２】
また、水道側接続部３４は、配管ケース３３の天面３３ａに配置され、水道側接続部３４の中心軸は上下方向に延びており、水道管３１を上方から水道側接続部３４に接続する作業になるので、配管作業が容易になる。具体的には、水道側接続部３４は、配管ケース３３の天面から上方へ突出した円筒形状の円筒部３４ａであり、円筒部の外周面には、ねじ加工されたねじ部３４ｂを有している。円筒部３４ａの先端と、水道管３１の端部とを合わせ、円筒部３４ａのねじ部３４ｂに、水道管３１に装着されたナットをねじ止めして、水道管３１を水道側接続部３４に固定する。
【００４３】
また、配管ケース３３の天面３３ａの高さは、本体ケース１の天面の高さより低い。具体的には、配管ケース３３は、箱形状であり、配管ケース３３の底面と本体ケース１の底面とは同一面上に配置され、配管ケース３３の天面３３ａの高さは、本体ケース１の天面の高さの３分の２の高さより低い。これにより、水道管３１と配管部３２とを継ぎ、空気調和装置を室内の壁に接するように配置する場合には、まず、室内の壁から室内に延びている水道管３１を上方から水道側接続部３４に接続する。ここで、水道側接続部３４は、作業者が上方から目視できる高さに配置されているので、水道管３１を上方から水道側接続部３４に接続する作業が容易になる。次に、配管ケース３３の背面を、室内の壁に接するように、本体ケース１と配管ケース３３とを移動させる。この状態で、水道管３１を本体ケース１と室内の壁との間に配置すると、本体ケース１の前面側から空気調和装置を見た場合に、水道管３１が本体ケース１に隠れ、見えにくくなり、インテリア性が向上する。
【００４４】
また、配管ケース３３の左右方向の寸法は、本体ケース１の左右方向の寸法と同じ、または一回り小さい寸法である。これにより、本体ケース１の前面側から空気調和装置を見ると、配管ケース３３が本体ケース１に隠れ、見えにくくなり、インテリア性が向上する。
【００４５】
また、水道側接続部３４は、配管ケース３３の天面３３ａにおける本体ケース１の左右方向の一方側（本体ケース１の前面側から見て左側）寄りに配置される。これにより、配管ケース３３の背面を室内の壁に接するように配置した状態でも、本体ケース１の左右方向の一方側のスペースから、配管部３２の開閉弁３５の交換作業などが容易になる。また、配管ケース３３の奥行き寸法は、上方から腕が入る寸法である。具体的には、配管ケース３３の奥行き寸法は、１０ｃｍから１５ｃｍである。これにより、更に、水道管３１を水道側接続部３４からの取り外し作業などが容易になる。
【００４６】
また、配管部３２は、開閉弁３５を有している。開閉弁３５は、給水部１７内の水を止めたり、流したりする構造である。開閉弁３５は、開閉する弁機構を備えている。開閉弁３５の一例は、電磁弁である。この弁機構は、電磁弁に所定の電流が流れると弁機構が開き、電磁弁へ電流が流れないと弁機構が閉じる構成である。電磁弁に所定の電流が流れると弁機構が開き、給水部１７内を水が流れ、電磁弁へ電流が流れないと弁機構が閉じ、給水部１７内の水の流れが止まる。
【００４７】
開閉弁３５は、制御部４によって制御される。制御部４は、電解ユニット１９と、気液接触部分２１（駆動部）と、送風機２（モータ部１４）と、開閉弁３５とを制御する。給水時の一例は、制御部４は、操作部５の操作によって空気調和装置が動作すると、まず、開閉弁３５を開き、水道管３１と給水部１７とを連通させ、水道管３１内の水を、配管部３２を介して、給水部１７から貯水容器１６に供給する。貯水容器１６内に所定量の水が溜まり、貯水容器１６の検知部４０が所定の水位を検知すると、制御部４は、開閉弁３５を閉じる。具体的には、検知部４０は、貯水容器１６に貯水される必要最大水量を検知する。検知部４０は、浮力を有するフロート部分４０ａと、フロート部分４０ａの位置を検知する検知部分（図示せず）とで構成されている。フロート部分４０ａは、第１の貯水区画２４内に配置され、検知部分は、第１の貯水区画２４の周囲である貯水容器１６の内側、つまり本体ケース１に配置されている。フロート部分４０ａが、所定の高さまで浮動すると、検知部分は、フロート部分４０ａを検知し、制御部４に信号を送る。制御部４は、信号を受信すると、給水部１７の開閉弁３５によって、給水部１７から貯水容器１６への給水を停止する。
【００４８】
次に、制御部４は、電解ユニット１９である第１の電極と第２の電極に印加する電圧、気液接触部分１８である駆動部の動作、送風機２であるファン部１２の回転数などを制御する。送風機２のモータ部１１によってファン部１２が回転すると、吸気口６から本体ケース１内に入った外部の空気は、順に、空気浄化部３（貯水容器１６、フィルター２０）、送風機２、吹出口７を介して、本体ケース１から吹き出される。
【００４９】
開閉弁３５は、配管部３２に着脱自在に設けられている。開閉弁３５は、配管ケース３３内における本体ケース１の左右方向の一方側（本体ケース１の前面側から見て左側）寄りに配置されている。配管ケース３３における本体ケース１の左右方向の一方側側面には、点検口３６を設けている。点検口３６には、着脱自在な蓋３７を有している。配管ケース３３から蓋３７を外すと、縦長四角形状の開口である点検口３６から開閉弁３５の点検、交換をすることができる。開閉弁３５は、点検口３６の近くに配置されているので、点検、交換作業が容易になる。
【産業上の利用可能性】
【００５０】
本発明は、空間に浮遊する微生物を除去する空気調和装置として適している。
【符号の説明】
【００５１】
１    本体ケース
２    送風機
３    空気浄化部
４    制御部
５    操作部
６    吸気口
７    吹出口
８    パネル
９    空洞部
９ａ    開口
１０    風路
１１    モータ部
１２    ファン部
１３    ケーシング部
１４    吐出口
１５    吸込口
１６    貯水容器
１７    給水部
１８    気液接触部分
１９    電解ユニット
２０    フィルター
２１    フィルター枠
２３    軸受け部
２４    第１の貯水区画
２５    第２の貯水区画
２６    仕切り板
２７    連通孔
２９    第１の軸カバー
２９ａ    第１のカバー
２９ｂ    第１の軸
３０    第２の軸カバー
３０ａ    第２のカバー
３０ｂ    第２の軸
３０ｃ    歯
３１    水道管
３２    配管部
３３    配管ケース
３３ａ    天面
３４    水道側接続部
３４ａ    円筒部
３４ｂ    ねじ部
３５    開閉弁
３６    点検口
３７    蓋
４０    検知部
４０ａ    フロート部分
【図１】
2020159660.tif 000003
【図２】
2020159660.tif 000004
【図３】
2020159660.tif 000005
【図４】
2020159660.tif 000006
【図５】
2020159660.tif 000007
【図６】
2020159660.tif 000008
【図７】
2020159660.tif 000009
【図８】
2020159660.tif 000010